(57)【要約】【課題】液晶表示装置について静電気耐圧を向上することである。【解決手段】第１基板と第２基板とが液晶を介して対向している。第２基板には、液晶とは反対側に透光性導電膜が設けられている。第１基板には、画素電極が配置された画素領域１３の外側に周辺回路１５０が設けられている。画素領域１３の外側にさらにダミー配線１６８が配置されており、当該ダミー配線１６８は、周辺回路１５０よりも基板外縁側に位置し、周辺回路１５０とは回路上独立して設けられ、第１基板の外部で接地される。または、ダミー配線は、保護抵抗を介して電源配線に接続されている。または、周辺回路において、回路素子の制御端子に接続される電源配線が保護抵抗を介して上記制御端子に接続されている。【選択図】図３
2008164787.tif 000002
【特許請求の範囲】
【請求項１】
画素電極と、前記画素電極が配置された画素領域の外側に設けられた周辺回路およびダミー配線と、を含む第１基板と、
液晶を介して前記第１基板に対向し、前記液晶とは反対側に設けられた透光性導電膜を含む、第２基板と、
を備え、
前記ダミー配線は、前記周辺回路よりも基板外縁側に位置し、前記周辺回路とは回路上独立して設けられ、前記第１基板の外部で接地されることを特徴とする液晶表示装置。
【請求項２】
画素電極と、前記画素電極が配置された画素領域の外側に設けられた周辺回路およびダミー配線と、を含む第１基板と、
液晶を介して前記第１基板に対向し、前記液晶とは反対側に設けられた透光性導電膜を含む、第２基板と、
を備え、
前記ダミー配線は、保護抵抗を介して電源配線に接続されていることを特徴とする液晶表示装置。
【請求項３】
画素電極と、前記画素電極が配置された画素領域の外側に設けられた周辺回路と、を含む第１基板と、
液晶を介して前記第１基板に対向し、前記液晶と反対側に設けられた透光性導電膜を含む、第２基板と、
を備え、
前記周辺回路は、保護抵抗を介して回路素子の制御端子に接続された電源配線を有することを特徴とする液晶表示装置。
【請求項４】
請求項１ないし請求項３のいずれか一つに記載の液晶表示装置であって、
前記第１基板は共通電極をさらに含み、
前記透光性導電膜は所定電位に保持されることを特徴とする液晶表示装置。
【発明の詳細な説明】
【技術分野】
【０００１】
本発明は、液晶表示装置に係り、特に液晶表示装置の静電気耐圧向上に関する。
【背景技術】
【０００２】
ＦＦＳ（Fringe  Field  Switching）モードの液晶パネルでは、液晶の配向を制御する画素電極と共通電極との両方が素子基板に設けられており、この２つの電極は絶縁膜を介して積層されている。当該電極のうちで上層の電極にはスリットが設けられている。スリットの長辺方向とほぼ平行にラビング処理がなされ、上記電極間の電位がオフ電位の場合、液晶分子は、スリットの長辺方向とほぼ平行に配向する。オフ電位よりも大きい電位を上記電極間に印加した場合、スリットの長辺に対して垂直な方向に電界（横電界）が発生し、液晶分子は電界方向に沿うように基板に平行な面内で回転する（横回転する）。液晶分子の回転角を制御することによって、透過光量が制御される。
【０００３】
なお、画素電極および共通電極の両方が素子基板に設けられた構造として、ＦＦＳモードの他に、ＩＰＳ（In-Plane  Switching）モードが知られている。
【０００４】
【特許文献１】特開平９−１０５９１８号公報
【発明の開示】
【発明が解決しようとする課題】
【０００５】
液晶パネルについて、小型化、薄型化、狭額縁化が進められ、また、タッチパネル等の機能の付加が進んでいる。これらに伴い、人体等によるパネル外部からの静電気がパネルの不具合を引き起こす場合がある。
【０００６】
例えば、ＦＦＳモード等では、素子基板に対向配置された対向基板に静電気が印加され当該対向基板が帯電した状態になると、当該帯電によって縦方向の電界が発生し、素子基板の上記電極による液晶配向制御を適切に行うことができない場合がある。この場合、例えばノーマリブラックの液晶パネルでは、黒表示が白浮きして（白味を帯びて）コントラストが低下してしまう。また、白浮きの程度が画面全体で不均一のときには表示ムラが観察される。
【０００７】
対策の一つとして、対向基板の外表面全体に透明導電膜を形成し、この透明導電膜を筐体またはＦＰＣ（Flexible  Printed  Circuit）端子へ接続することによって、上記帯電を外部回路の接地電位（ＧＮＤ）へ逃がす手法がある（特許文献１参照）。
【０００８】
しかしながら、上記対策によっても十分な静電気耐圧が得られない場合があることが分かった。
【０００９】
本発明の目的は、液晶表示装置について静電気耐圧を向上することである。
【課題を解決するための手段】
【００１０】
本発明に係る液晶表示装置は、画素電極と、前記画素電極が配置された画素領域の外側に設けられた周辺回路およびダミー配線と、を含む第１基板と、液晶を介して前記第１基板に対向し、前記液晶とは反対側に設けられた透光性導電膜を含む、第２基板と、を備え、前記ダミー配線は、前記周辺回路よりも基板外縁側に位置し、前記周辺回路とは回路上独立して設けられ、前記第１基板の外部で接地されることを特徴とする。
【００１１】
また、本発明に係る液晶表示装置は、画素電極と、前記画素電極が配置された画素領域の外側に設けられた周辺回路およびダミー配線と、を含む第１基板と、液晶を介して前記第１基板に対向し、前記液晶とは反対側に設けられた透光性導電膜を含む、第２基板と、を備え、前記ダミー配線は、保護抵抗を介して電源配線に接続されていることを特徴とする。
【００１２】
また、本発明に係る液晶表示装置は、画素電極と、前記画素電極が配置された画素領域の外側に設けられた周辺回路と、を含む第１基板と、液晶を介して前記第１基板に対向し、前記液晶と反対側に設けられた透光性導電膜を含む、第２基板と、を備え、前記周辺回路は、保護抵抗を介して回路素子の制御端子に接続された電源配線を有することを特徴とする。
【００１３】
ここで、前記第１基板は共通電極をさらに含み、前記透光性導電膜は所定電位に保持されることが好ましい。
【発明の効果】
【００１４】
上記構成によれば、静電気が第１基板へ侵入した場合であってもダミー配線または保護抵抗によって第１基板の周辺回路が保護される。このため、静電気耐性を向上することができる。
【発明を実施するための最良の形態】
【００１５】
本発明の実施の形態を説明する前に、静電気耐性を種々の評価に基づいて考察したので、これについて図６および図７に示す液晶表示装置の周縁部付近の断面図を参照して説明する。
【００１６】
図６および図７に示すように、ＦＦＳモードの従来の液晶表示装置１０Ｚにおいて、第１基板１００Ｚと第２基板２００Ｚとがシール３０４Ｚによって貼り合わされ、これらの基板１００Ｚ，２００Ｚ間に液晶３０２Ｚが挟持されている。第１基板１００Ｚの支持基板１０２Ｚ上には回路配線群１０４Ｚが配置されており、回路配線群１０４Ｚを覆って絶縁膜１１４Ｚが配置されている。なお、図面では回路配線群１０４Ｚを模式的に図示している。第２基板２００Ｚの支持基板２０２Ｚの外表面上には透光性導電膜２０８Ｚが配置されており、この透光性導電膜２０８Ｚは上記外表面の全面に、すなわち支持基板２０２Ｚの外縁すなわち第２基板２００Ｚの外縁まで広がっている。なお、例えば多数個取り基板の全面に透光性導電膜２０８Ｚを成膜し当該基板を分断することにより、透光性導電膜２０８Ｚが第２基板２００Ｚの外縁まで形成される。
【００１７】
透光性導電膜２０８Ｚに対して気中放電を行ったところ、図６に示すように透光性導電膜２０８Ｚの外縁部から発生する気中放電が観察され、回路配線群１０４Ｚおよびこれに繋がる回路素子に破壊が認められた。これによれば、静電気が透光性導電膜２０８Ｚの外縁部から第２基板２００Ｚの外縁部の基板側面上を越え回路配線群１０４Ｚへ伝播したものと考えられる。この場合、回路配線群１０４Ｚのうちで基板外縁に近い回路配線ほど静電気が伝播しやすいと考えられる。
【００１８】
また、基板外縁から離れた回路配線およびこれに繋がる回路素子においても破壊が見られた。この破壊は、透光性導電膜２０８Ｚへ侵入した静電気によって当該透光性導電膜２０８Ｚの電位が上昇し、この電位上昇にカップリングして（容量性結合して）回路配線群１０４Ｚの電位が上昇することによって、起こるものと考えられる。すなわち、カップリングによる静電気の伝播によって、起こるものと考えられる（図７参照）。なお、図７にはカップリングの様子をコンデンサの図記号によって模式的に図示している。透光性導電膜２０８Ｚとのカップリングは、配線パターンの面積が広いほど、すなわち配線の幅や長さ等が大きいほど生じやすく、例えば低抵抗化のために線幅が広く形成される電源配線との間で生じやすいと考えられる。
【００１９】
また、基板外縁に沿って伸びる回路配線の方が、基板外縁に交差する方向に伸びた回路配線に比べて破壊が起こりやすいことが分かった。
【００２０】
以下に図面を用いて本発明に係る実施の形態について詳細に説明する。図１に実施の形態に係る液晶表示装置１０の模式図を示す。なお、図面を分かりやすくするため、図１および後述の各図面において他の図面に図示した要素の一部を省略している。
【００２１】
図１に示すように、液晶表示装置１０は、液晶パネル１２と、液晶パネル１２用の筐体１４と、ＦＰＣ１６と、外部回路１８とを含んで構成されている。液晶パネル１２はＦＰＣ１６を介して外部回路１８に接続されている。ＦＰＣ１６に替えて各種の配線体を用いることも可能である。ここでは、液晶パネル１２がＦＦＳモードの場合を例示する。なお、液晶パネル１２は透過型、反射型、半透過型のいずれであってもよい。
【００２２】
図２に液晶パネル１２の外縁付近の断面図を示す。液晶パネル１２は、第１基板１００と、第２基板２００と、液晶３０２と、シール３０４とを含んで構成されている。基板１００，２００は、所定のギャップをあけて対向し、周縁部においてシール３０４によって貼り合わされている。基板１００，２００とシール３０４とを含んで構成される容器内に液晶３０２が挟持されている。
【００２３】
第１基板１００は、例えばガラス等の透光性基板で構成される支持基板１０２を含み、支持基板１０２の内表面側すなわち液晶３０２側に絶縁膜１１０，１１２と、共通電極１１６と、画素電極１１８と、周辺回路１５０と、不図示の配向膜とを含んで構成されている。
【００２４】
共通電極１１６および画素電極１１８は、対を成して液晶３０２の配向を制御する、すなわち、液晶３０２を駆動する電極である。共通電極１１６は複数の画素に共通に設けられ、画素電極１１８は画素ごとに設けられその画素の表示に応じた電位が供給される。なお、共通電極１１６を画素ごとに設け共通の電位を供給するように構成することも可能である。つまり、複数の画素電極１１８と少なくとも１つの共通電極１１６とによって、複数の画素が構成される。なお、最外周に位置する１周分またはそれ以上の画素を直接的には表示に寄与しないダミー画素として用いる場合もある。
【００２５】
ＦＦＳモードの液晶パネル１２では、電極１１６，１１８の両方が第１基板１００に設けられ、電極１１６，１１８は絶縁膜１１２を介して積層されている。ここでは画素電極１１８が上層すなわち液晶３０２側に配置されている場合を例示するが、共通電極１１６を上層に配置することも可能である。上層の画素電極１１８には不図示のスリットが設けられており、当該スリットを介して電極１１６，１１８間に発生する電界によって液晶３０２の配向が制御される。電極１１６，１１８は例えばＩＴＯ（Indium  Tin  Oxide）等の透光性導電膜で構成されている。
【００２６】
周辺回路１５０は、電極１１６，１１８は画素領域１３の外側に配置された回路である。ここで、画素領域１３は複数の画素が配置された領域であり、換言すれば画素領域１３内において複数の画素が配列されている。なお、ダミー画素の領域も画素領域１３に含まれるものとする。周辺回路１５０については後に例示する。
【００２７】
絶縁膜１１０，１１２は、例えば酸化シリコン、窒化シリコン等で構成され、支持基板１０２上に積層されている。なお、説明を分かりやすくするために共通電極１１６よりも下層すなわち支持基板１０２側を絶縁膜１１０とし当該絶縁膜１１０上に絶縁膜１１２が積層されている場合を例示しているが、これらの絶縁膜１１０，１１２をまとめて絶縁膜１１４と呼ぶことにする。絶縁膜１１０，１１２はそれぞれ単層膜であってもよいし、多層膜であってもよい。画素電極１１８を覆って不図示の配向膜が配置されており、当該配向膜はラビング処理されている。
【００２８】
なお、図２では周辺回路１５０が支持基板１０２に接触し絶縁膜１１０に覆われている場合を例示しているが、周辺回路１５０を、多層膜で構成した絶縁膜１１４中に埋設して支持基板１０２に接触しないように構成してもよい。
【００２９】
第２基板２００は、例えばガラス等の透光性基板で構成される支持基板２０２を含み、支持基板２０２の内表面側すなわち液晶３０２側に遮光膜２０４と、カラーフィルタ２０６と、不図示の配向膜とを含み、支持基板２０２の外表面側すなわち液晶３０２とは反対側に透光性導電膜２０８を含んで構成されている。
【００３０】
支持基板２０２は、第１基板１００に対向して配置され、電極１１６，１１８と周辺回路１５０とに対向する大きさを有している。遮光膜２０４は、支持基板２０２上に配置され、支持基板２０２の全面に広がっているとともに画素電極１１８に対向する位置に開口を有している。なお、ダミー画素に対向する部分には開口は設けられていない。遮光膜２０４は例えば黒色顔料を含有した樹脂等で構成されている。カラーフィルタ２０６は、支持基板２０２上に配置され、遮光膜２０４の開口部に設けられて電極１１６，１１８に対向している。遮光膜２０４およびカラーフィルタ２０６を覆って不図示の配向膜が配置されており、当該配向膜はラビング処理されている。
【００３１】
透光性導電膜２０８は、支持基板２０２の外表面上に配置され当該基板２０２を介して液晶３０２、電極１１６，１１８等に対向している。すなわち、透光性導電膜２０８は第２基板２００において液晶３０２に接する面とは反対側に位置している。透光性導電膜２０８は、任意の所定電位、例えば接地電位に保持され、パネル外部から第２基板２００へ侵入する静電気を逃がして第２基板２００の帯電を防止する。つまり、透光性導電膜２０８はシールド膜の役割をする。これにより、第２基板２００の帯電による不具合、例えばコントラストの低下や表示ムラを抑制することができる。透光性導電膜２０８はパターニングされることなく（すき間なく）設けてもよいし、または、静電気に対するシールド効果を奏する限り例えば網目状にパターニングされていてもよい。
【００３２】
透光性導電膜２０８は、例えばＩＴＯ等で構成され、無機材料と有機材料とのいずれで構成してもよいし、スパッタ法、プラズマＣＶＤ（Chemical  Vapor  Deposition）法、スピンコート法、印刷法等の方法によって形成可能である。透光性導電膜２０８の抵抗率（シート抵抗）は、例えば１０５Ω／□であり、低いほど好ましい。なお、透光性導電膜２０８の外縁が支持基板２０２の外縁すなわち第２基板２００の外縁まで及んでいる場合を例示するが、透光性導電膜２０８の配置領域はこれに限られるものではない。
【００３３】
以下に、液晶パネル１２を例示する。図３〜図５に第１例〜第３例に係る液晶パネル１２Ａ〜１２Ｃを説明する平面図を示す。なお、図面の煩雑を避けるため、画素領域１３の外側の領域を広く図示し、配線の接続形態等を一部省略して図示している。
【００３４】
図３に例示される液晶パネル１２Ａでは、周辺回路１５０は、Ｈスキャナ１５２、Ｖスキャナ１５４、Ｖ系回路１５６、回路１５８、ＣＯＭ配線１６２、配線１６４、１６６等を含んで構成されている。
【００３５】
Ｈスキャナ１５２およびＶスキャナ１５４は表示画面の水平方向およびに垂直方向に画素を走査するための回路である。Ｖ系回路１５６は例えばレベルシフタであり、ここではＶスキャナ１５４と接続されている。回路１５８は、例えば制御回路、信号処理回路、検査回路等であり、ここではスキャナ１５２，１５４に接続されている。ＣＯＭ配線１６２は、共通電極１１６（図２参照）へ印加する電位（コモン電位）を供給する配線である。ＣＯＭ配線１６２は、ＦＰＣ１６との接続端から画素領域１３へ向けて延伸し、ここでは画素領域１３付近から当該領域１３の３辺に沿って延伸している。配線１６４は、Ｖスキャナ１５４用の制御信号配線であり、ＦＰＣ１６との接続端からＶスキャナ１５４へ向けて延伸している。配線１６６は例えばＶ系回路１５６への入力信号配線でありＦＰＣ１６との接続端からＶ系回路１５６へ向けて延伸している。なお、図３では配線１６６が２本の場合を例示している。
【００３６】
液晶パネル１２Ａは、画素領域１３の外側にダミー配線１６８を含んでいる。ダミー配線１６８は、スキャナ１５２，１５４等を含んで構成される周辺回路１５０よりも基板外縁側に配置されており、液晶パネル１２Ａの各種配線のうちで最外周に位置する配線である。また、ダミー配線１６８は、周辺回路１５０には接続されておらず、すなわち周辺回路１５０とは回路上、独立して設けられている。このような配置・接続形態によれば、ダミー配線１６８は周辺回路１５０とは交差していない。ダミー配線１６８は周辺回路１５０を取り囲んでいる。ダミー配線１６８はＦＰＣ１６との接続部においても周辺回路１５０との交差が回避されているのが好ましく、この場合、ダミー配線１６８は液晶パネル１２Ａ内においては閉じた経路（閉ループ）を構成せず、ダミー配線１６８の両端はそれぞれＦＰＣ１６との接続部へ引き出されている。ダミー配線１６８の両端部はＦＰＣ１６を介して外部回路１８の接地電位に接続されている。接地電位への接続には１０ｋΩ〜１ＭΩの抵抗を介して行ってもよい。
【００３７】
上記構成により、静電気が透光性導電膜２０８の外縁部から支持基板２０２の側面上を越えて第１基板１００へ侵入した場合であっても、当該静電気をダミー配線１６８を介して外部回路１８の接地電位へ流すことができる。したがって、静電気が周辺回路１５０へ伝播するのを抑制することができ、静電気耐性が向上する。
【００３８】
ダミー配線１６８は周辺回路１５０に交差していない。このため、ダミー配線１６８へ侵入した静電気がカップリングによって周辺回路１５０へ伝播するのが抑制される。これによっても静電気耐性が向上する。
【００３９】
ダミー配線１６８は外部回路１８の接地電位に接続されているので、ダミー配線１６８に静電気が侵入した場合には当該接地電位が上昇しうる。しかし、上記接地電位を基準にして相対的に電圧値が設定されている信号や電源電位等については、接地電位の上昇の影響が抑制される。このため、ダミー配線１６８を例えば液晶パネル１２Ａ内の接地電位に接続する場合に比べて、静電気耐性が向上する。
【００４０】
図４に例示される液晶パネル１２Ｂでは、周辺回路１５０は、Ｈスキャナ１５２、Ｖスキャナ１５４、Ｖ系回路１５６、回路１５８、ＣＯＭ配線１６２、配線１６４，１６６、電源配線１６９等を含んで構成されている。また、液晶パネル１２Ｂはダミー配線１７０および保護抵抗１８０を含んでいる。なお、上記と同様の構成要素は同一の参照符号を付し詳細な説明は省略する。
【００４１】
電源配線１６９は、例えば電源電位Ｖｓｓを供給する配線であり、ＦＰＣ１６との接続端から延伸してＶ系回路１５６およびＨスキャナ１５２に接続されている。なお、電位Ｖｓｓは例えば、Ｖ系回路１５６を介してＶスキャナ１５４へ供給され、Ｈスキャナ１５２を介して回路１５８へ供給される。
【００４２】
ダミー配線１７０は、抵抗１８０を介して電源配線１６９に接続され、パネルの外周をまわり、もう一つの抵抗１８０を介して電源配線に再度、接続されている。ダミー配線１７０は、ここでは、周辺回路１５０の各種配線よりも最外周に位置している。ダミー配線１７０は、スキャナ１５２，１５４、Ｖ系回路１５６、回路１５８等を取り囲み、基板外縁に沿って延伸し、液晶パネル１２Ｂ内において閉ループを形成している。
【００４３】
保護抵抗１８０の抵抗値は例えば１０ｋΩ〜１０ＭΩである。保護抵抗１８０は例えばシリコン膜を利用して構成することが可能である。
【００４４】
上記構成により、静電気が透光性導電膜２０８の外縁部から支持基板２０２の側面上を越えて第１基板１００の最外周配線であるダミー配線１７０へ侵入した場合であっても、当該静電気は保護抵抗１８０で消費される。また、透光性導電膜２０８に侵入した静電気がカップリングによってダミー配線１７０の電位変動を引き起こした場合であっても、電位変動は保護抵抗１８０で消費される。このため、侵入した静電気がスキャナ１５２等の回路素子へ伝播するのが抑制される。したがって、静電気耐性が向上する。
【００４５】
図５に例示される液晶パネル１２Ｃにおいて、周辺回路１５０は、図４に例示の上記構成に追加して電源配線１７２と保護抵抗１８２とを含んでいる。電源配線１７２および保護抵抗１８２は、液晶パネル１２Ｃでは、ダミー配線１７０の上記閉ループ部分の内側に配置されている。なお、上記と同様の構成要素は同一の参照符号を付し詳細な説明は省略する。
【００４６】
電源配線１７２は、Ｖスキャナ１５４と回路１５８とで利用される電源電位を供給する配線である。なお、当該電源電位は、液晶パネル１２Ｃにおいて生成される電位であってもよいし、外部回路１８（図１参照）等から供給される電位であってもよい。電源配線１７２は、Ｖスキャナ１５４内を通過し基板外縁に沿って延伸し、保護抵抗１８２を介して回路１５８に接続されている。保護抵抗１８２の抵抗値は例えば１０ｋΩ〜１０ＭΩであり、保護抵抗１８２は例えばシリコン膜を利用して構成することが可能である。
【００４７】
液晶パネル１２Ｃにおける回路１５８は、電源配線１７２によって供給される上記電源電位を制御信号として利用する。例えば、当該回路１５８としてＨスキャナ１５２とＶスキャナ１５４とで共用される信号処理回路や検査回路等が挙げられ、電源配線１７２による上記電源電位が供給されている場合にはＶスキャナ１５４用回路に切り替わり、当該電源電位が供給されていない場合にはＨスキャナ１５２用回路に切り替わる。このような切り替えは例えばＭＯＳ（Metal  Oxide  Semiconductor）トランジスタ等のスイッチング素子を利用することによって可能であり、スイッチング素子の制御端子、例えばＭＯＳトランジスタのゲートに電源配線１７２が接続されている。
【００４８】
特に電源配線１７２にはＶスキャナ１５４から上記制御端子へ至る経路途中に保護抵抗１８２が挿入されており、保護抵抗１８２は上記制御端子の前段に設けられている。
【００４９】
上記構成により、透光性導電膜２０８に侵入した静電気がカップリングによって電源配線１７２の電位変動を引き起こした場合であっても、電位変動は保護抵抗１８２で消費される。また、静電気が透光性導電膜２０８の外縁部から支持基板２０２の側面上を越えて第１基板１００の電源配線１７２へ侵入した場合であっても、当該静電気は保護抵抗１８２で消費される。このため、侵入した静電気が上記スイッチング素子の制御端子へ伝播するのが抑制される。したがって、静電気耐性が向上する。
【００５０】
ここで、基板外縁に沿って伸びる配線には静電気が伝播しやすいとの上記評価に鑑みれば、配線１７０，１７２に保護抵抗１８０，１８２を挿入することによって静電気耐性向上がより確実に図られる。
【００５１】
また、保護抵抗１８０，１８２が挿入された配線１７０，１７２とダミー配線１６８とを種々に組み合わせてもよく、これにより静電気耐性をさらに向上することが可能である。また、ダミー配線１６８と保護抵抗１８０，１８２が挿入された配線１７０，１７２とはそれぞれ透光性導電膜２０８を介さずに第１基板１００へ侵入する静電気に対しても有効である。
【００５２】
また、上記では液晶３０２を駆動する電極１１６，１１８が絶縁膜１１２を介して積層されたＦＦＳモードを例示したが、両電極１１６，１１８を同層に（例えば絶縁膜１１２上に）配置してＩＰＳモードを構成することも可能である。ＩＰＳモードの場合、例えば櫛歯形状のパターンの電極１１６，１１８が、当該櫛歯形状を互いにかみ合わせた形態で配置される。また、共通電極１１６が液晶３０２を介して画素電極１１８に対向するＴＮ（Twisted  Nematic）モード等の液晶表示装置に、液晶表示装置１０の上記構造を応用することも可能である。
【図面の簡単な説明】
【００５３】
【図１】本発明の実施の形態に係る液晶表示装置の模式図である。
【図２】本発明の実施の形態に係る液晶パネルの断面図である。
【図３】本発明の実施の形態に係る液晶パネルの第１例を説明する平面図である。
【図４】本発明の実施の形態に係る液晶パネルの第２例を説明する平面図である。
【図５】本発明の実施の形態に係る液晶パネルの第３例を説明する平面図である。
【図６】ＦＦＳモードの従来の液晶表示装置について静電気の影響を説明する断面図である。
【図７】ＦＦＳモードの従来の液晶表示装置について静電気の影響を説明する断面図である。
【符号の説明】
【００５４】
１０  液晶表示装置、１３  画素領域、１８  外部回路、１００  第１基板、１１６  共通電極、１１８  画素電極、１５０  周辺回路、１６８，１７０  ダミー配線、１７２  電源配線、１８０，１８２  保護抵抗、２００  第２基板、２０８  透光性導電膜、３０２  液晶。
【図１】
2008164787.tif 000003
【図２】
2008164787.tif 000004
【図３】
2008164787.tif 000005
【図４】
2008164787.tif 000006
【図５】
2008164787.tif 000007
【図６】
2008164787.tif 000008
【図７】
2008164787.tif 000009